(57)【要約】【課題】１台のリモコンで複数の機器の制御が可能であり、しかも機器や制御内容の追加にも対応可能で、操作も容易なリモコン装置を提供する。【解決手段】使用者は、リモコンによる操作を希望する機器の所望の制御信号Ｓｏを、その機器のリモコンを用いてテレビに転送する。使用者は、テレビのＧＵＩに表示された機器と制御内容の名称を、テレビのリモコンを用いて選択する。信号名登録手段１３３は、選択された名称を、制御信号Ｓｏの関連情報Ｉｒとして、制御信号Ｓｏと共に記憶手段１２０に登録する。使用者は、機器の制御を行う際、テレビのリモコンを用いてＧＵＩに表示された機器と制御内容の名称から希望する項目を選択する。信号選択手段１３４は、関連情報Ｉｒを参照して、選択された項目に対応する制御信号Ｓｏを記憶手段１２０から読み出す。読み出された制御信号Ｓｏを含む赤外線信号が機器に向けて発信される。【選択図】図１
2008079144.tif 000002
【特許請求の範囲】
【請求項１】
複数の被制御機器のそれぞれを制御するリモートコントロール装置であって、
前記複数の被制御機器のそれぞれの動作を制御する複数の第１の制御信号を記憶する記憶手段と、
前記被制御機器および制御内容を、同時には少なくとも一方を特定する情報を表示する表示手段と、
操作されたボタンに関連づけられて、リモコンから発信される第２の制御信号に基づき、前記表示を変化させる表示制御手段と、
前記第２の制御信号に基づいて、前記表示されている制御内容に関連づけられた第１の制御信号を選択して前記記憶手段から読み出す信号選択手段とを備え、
前記複数の被選択制御機器の制御のために操作されるボタンは同一であることを特徴とするリモートコントロール装置。
【請求項２】
前記表示手段は、グラフィカルユーザインターフェースを作成し、被制御機器および制御内容を特定する情報を階層的に表示する機能を備えている請求項１に記載のリモートコントロール装置。
【請求項３】
前記表示手段に表示された被制御機器および制御内容を特定する情報から前記第２の制御信号に基づいて選択された情報を、前記第１の制御信号の関連情報として、前記記憶手段に登録する信号名登録手段を更に備え、
前記信号選択手段は、前記第１の制御信号を、前記関連情報を参照して前記記憶手段から読み出す請求項１または２に記載のリモートコントロール装置。
【請求項４】
前記第２の制御信号に従って所定の処理を実行する実行手段と、
前記表示手段に表示された前記実行手段による処理を特定する情報と、前記表示手段に表示された被制御機器および制御内容を特定する情報から、前記実行手段と前記被制御機器との連動制御を特定する情報として前記第２の制御信号に基づいて選択された情報を、連動制御関連情報として前記記憶手段に登録する連動制御登録手段と、
前記第２の制御信号に対応した前記第１の制御信号を、前記連動制御関連情報および前記関連情報を参照して前記記憶手段から読み出す連動制御実行手段とを更に備えた請求項１〜３のいずれかに記載のリモートコントロール装置。
【請求項５】
前記連動制御関連情報には前記実行手段による処理の回数が含まれる請求項４に記載のリモートコントロール装置。
【請求項６】
リモコンから送信された赤外線信号を受信し、前記赤外線信号に含まれる前記第２の制御信号を再生する赤外線受光手段と、
前記記憶手段から読み出された前記第１の制御信号を含む赤外線信号を被制御機器に発信する赤外線発光手段とを備えた請求項１〜５のいずれかに記載のリモートコントロール装置。
【請求項７】
前記赤外線受光手段を所望の位置へ移動し、もしくは所望の方向へ向ける機構を備えた請求項１〜６のいずれかに記載のリモートコントロール装置。
【請求項８】
前記赤外線発光手段を所望の位置へ移動し、もしくは所望の方向へ向ける機構を備えた請求項１〜６のいずれかに記載のリモートコントロール装置。
【請求項９】
請求項１〜８のいずれかに記載のリモートコントロール装置を組み込んだテレビジョン受像機。
【発明の詳細な説明】
【技術分野】
【０００１】
本発明は、照明器具やエアコン等の機器を、リモコンを用いて遠隔操作制御するリモートコントロール装置（以下「リモコン装置」という）およびその装置を組み込んだテレビジョン受像機に関する。
【背景技術】
【０００２】
近年、多くの電気、電子機器がリモコンで制御することが可能となっている。例えば、テレビジョン受像機（以下「テレビ」という）、ビデオカセットレコーダ（以下「ＶＣＲ」という）、ＤＶＤプレーヤといったＡＶ機器はもとより、エアコンや照明といったリビング内にある機器も、リモコンによる制御が可能である。
【０００３】
その結果、各家庭においてリモコンの数が多くなり、保管場所を明確にしておく必要があるとか、制御したい機器のリモコンを選ばなければならない等の支障が生ずる。またボタン配置や操作方法はリモコン毎に異なるため、使用者はそれぞれのリモコンについて操作方法を憶えなければならない。
【０００４】
このようなわずらわしさを解消するため、１台のリモコンで複数の機器を制御し、更には操作方法をより簡単にする方策が求められている。これらの方策の具体例として、複数の機器に対する制御信号を、予め１台のリモコンのＲＯＭに記憶させておくようにしたものがある（特許文献１参照）。また、使用者が必要に応じて、所望の機器の制御信号をリモコンのＲＡＭに記憶させるプログラムリモコンも知られている。
【特許文献１】特開平７−１９３８７８号公報
【発明の開示】
【発明が解決しようとする課題】
【０００５】
しかし、従来技術のうち前者は、予め制御信号をＲＯＭに記憶させておく必要があり、機器や制御信号の追加に対応できない問題があった。一方、後者は、機器や制御信号の追加には対応できる反面、記憶する制御信号が多くなると、使用者が記憶した内容を把握するのが困難となる。またスイッチやボタンの数も多くなり、操作が煩雑になると共にリモコンが大型化するといった問題もあった。すなわち、従来の技術は、リモコンの操作性の面で改善すべき点が残されていた。
【０００６】
本発明は、１台のリモコンを用いて複数の被制御機器を制御することができ、しかも機器や制御内容の追加にも対応可能で、操作性も向上したリモコン装置を提供することを目的とする。
【課題を解決するための手段】
【０００７】
上記目的を達成するために本発明のリモコン装置は、
複数の被制御機器のそれぞれを制御するリモートコントロール装置であって、
前記複数の被制御機器のそれぞれの動作を制御する複数の第１の制御信号を記憶する記憶手段と、
前記被制御機器および制御内容を、同時には少なくとも一方を特定する情報を表示する表示手段と、
操作されたボタンに関連づけられて、リモコンから発信される第２の制御信号に基づき、前記表示を変化させる表示制御手段と、
前記第２の制御信号に基づいて、前記表示されている制御内容に関連づけられた第１の制御信号を選択して前記記憶手段から読み出す信号選択手段とを備え、
前記複数の被選択制御機器の制御のために操作されるボタンは同一であることを特徴とする。
【０００８】
本発明のリモコン装置において、前記表示手段はグラフィカルユーザインターフェースを作成し、被制御機器および制御内容を特定する情報を階層的に表示する機能を備えていることが好ましい。
【０００９】
また本発明のリモコン装置において、
前記表示手段に表示された被制御機器および制御内容を特定する情報から前記第２の制御信号に基づいて選択された情報を、前記第１の制御信号の関連情報として、前記記憶手段に登録する信号名登録手段を更に備え、
前記信号選択手段は、前記第１の制御信号を、前記関連情報を参照して前記記憶手段から読み出すことが好ましい。
【００１０】
また本発明のリモコン装置において、
前記第２の制御信号に従って所定の処理を実行する実行手段と、
前記表示手段に表示された前記実行手段による処理を特定する情報と、前記表示手段に表示された被制御機器および制御内容を特定する情報から、前記実行手段と前記被制御機器との連動制御を特定する情報として前記第２の制御信号に基づいて選択された情報を、連動制御関連情報として前記記憶手段に登録する連動制御登録手段と、
前記第２の制御信号に対応した前記第１の制御信号を、前記連動制御関連情報および前記関連情報を参照して前記記憶手段から読み出す連動制御実行手段とを更に備えていてもよい。また前記連動制御関連情報には前記実行手段による処理の回数が含まれるものであってもよい。
【００１１】
また本発明のリモコン装置において、リモコンから送信された赤外線信号を受信し、前記赤外線信号に含まれる前記第２の制御信号を再生する赤外線受光手段と、前記記憶手段から読み出された前記第１の制御信号を含む赤外線信号を被制御機器に発信する赤外線発光手段とを備えていてもよい。
【００１２】
同様に、前記赤外線受光手段を所望の位置へ移動し、もしくは所望の方向へ向ける機構を備えたもの、もしくは、前記赤外線発光手段を所望の位置へ移動し、もしくは所望の方向へ向ける機構を備えていてもよい。
【００１３】
また本発明は上記いずれかに記載のリモコン装置を組み込んだテレビを含む。
【発明の効果】
【００１４】
本発明のリモコン装置によれば、リモコンを大型化することなく、１台のリモコンを用いて複数の機器の制御が可能となる。また本発明のリモコン装置は、機器が追加された場合や制御内容が追加された場合にも柔軟に対応できる。更に、リモコンの操作も容易であり、操作方法に関する特別な知識も必要としない。
【発明を実施するための最良の形態】
【００１５】
（実施の形態１）
図１に、本発明の実施の形態１におけるテレビの構成を示す。本実施の形態では本発明のリモコン装置をテレビに組み込んだ例について説明する。本実施の形態のテレビ１００Ａは、赤外線受光手段１１０、記憶手段１２０、ＣＰＵ１３０Ａ、赤外線発光手段１４０、ＬＣＤ駆動回路１５０、ＬＣＤ１６０、実行手段１７０および内部バス１８０を備えている。
【００１６】
赤外線受光手段１１０は、リモコンなどの赤外線発光機器から受信した赤外線信号を電気信号に変換すると共に、その中に含まれる制御信号を再生する。赤外線受光手段１１０は、テレビ１００Ａのリモコンから発光される赤外線信号のみならず、ＶＣＲやＤＶＤプレーヤ、エアコンや照明などのリビングにある被制御機器のリモコンから送信される赤外線信号を電気信号に変換できる。
【００１７】
記憶手段１２０は、赤外線受光手段１１０で再生された被制御機器を制御するための制御信号Ｓｏを記憶する。
【００１８】
ＣＰＵ１３０Ａは、機能的に画像作成手段１３１、項目選択手段１３２、信号名登録手段１３３および信号選択手段１３４の４つの手段を実現する。画像作成手段１３１は、グラフィカルユーザインターフェース（以下「ＧＵＩ」という）を作成する機能を備えている。画像作成手段１３１によって作成されたＧＵＩはディスプレイであるＬＣＤ１６０に表示される。項目選択手段１３２は、ＬＣＤ１６０に表示されたＧＵＩの複数の項目のうち、使用者がテレビのリモコンで選択した項目について、色を変えることによって使用者に選択されたことを明示する。
【００１９】
信号名登録手段１３３は、使用者がＬＣＤ１６０の表示内容を確認しながら選択した被制御機器の名称と制御の内容を、制御信号Ｓｏの関連情報Ｉｒとして記憶手段１２０に登録する。信号選択手段１３４は、使用者がＬＣＤ１６０の表示内容を確認しながら選択した被制御機器と制御の内容に対応した制御信号Ｓｏを、関連情報Ｉｒを参照して記憶手段１２０から読み出す。
【００２０】
赤外線発光手段１４０は、信号選択手段１３４によって記憶手段１２０から読み出された制御信号Ｓｏを、被制御機器が受信できるように赤外線信号に変換した後、該当の被制御機器に向けて発信する。ＬＣＤ駆動回路１５０は、画像作成手段１３１で作成されたＧＵＩ画像を映像信号に変換する。ＬＣＤ駆動回路１５０で映像信号に変換されたＧＵＩ画像はＬＣＤ１６０に表示される。
【００２１】
実行手段１７０は、図示しないテレビのリモコンから送られてくる制御信号に基づいて各種の処理を行う。なお実行手段１７０はＣＰＵ１３０とは別に設けられているが、ＣＰＵ１３０Ａの機能の一部として実現してもよい。また上記各手段は内部バス１８０によって接続されている。
【００２２】
なお、上記構成要素のうち、画像作成手段１３１を含むＣＰＵ１３０Ａ、ＬＣＤ駆動回路１５０およびＬＣＤ１６０は本発明の表示手段を構成し、項目選択手段１３２を含むＣＰＵ１３０Ａ、ＬＣＤ駆動回路１５０およびＬＣＤ１６０は本発明の表示制御手段手段を構成する。
【００２３】
以下、テレビ１００Ａの動作について説明する。最初に、図１を参照してテレビ１００Ａの通常の動作について説明する。テレビ１００Ａは、図示しない受信手段によって放送波を受信する。放送映像を視聴するにあたり、使用者はテレビ１００Ａの音量やチャンネルを変更することがある。この際、使用者はテレビのリモコンの該当するボタンを押下する。赤外線受光手段１１０は、テレビのリモコンから発信された赤外線信号を受信し、制御信号Ｓｔを再生する。実行手段１７０は、再生された制御信号Ｓｔがテレビ１００Ａの制御信号であるか否か判断し、テレビ１００Ａの制御信号であると判断した場合は、制御信号Ｓｔを解読して該当する処理を実行する。
【００２４】
次に、テレビのリモコンを用いて、テレビ１００Ａ以外の機器を制御する際の動作について、図２〜図１１を参照して説明する。
【００２５】
使用者がテレビのリモコンを使用して他の機器を制御したい場合、他の機器を制御するための信号をテレビに記憶させる必要がある。そのため、テレビのリモコンに、制御信号記憶モード、すなわち他の機器を制御するための制御信号Ｓｏを記憶するモードに入るための専用ボタンを用意しておく。なお制御信号記憶モードに入るには、専用ボタンを用いることなく、リモコンのメニューボタンを用いてＧＵＩを呼び出し、メニューの中から選択するようにしてもよい。
【００２６】
図２は、制御信号記憶モードにおいて制御の対象となる機器の制御信号Ｓｏをテレビ１００Ａの記憶手段１２０に登録する際の動作を示すフローチャートである。使用者がテレビのリモコンに設けられた専用ボタンを押下すると制御信号記憶モードに入り、信号名登録手段１３３は、画像作成手段１３１によって作成された図３のメッセージをＬＣＤ１６０に表示する（ステップＳ２１）。使用者はこのメッセージに従い、機器のリモコンを操作して登録したい制御信号Ｓｏを含む赤外線信号を発信する（Ｓ２２）。赤外線受光手段１１０は受信した赤外線信号を電気信号に変換した後、制御信号Ｓｏを再生する。信号名登録手段１３３は、受信した制御信号Ｓｏが既に記憶手段１２０に登録されているか否か判定し、登録されていなければ、図４に示すＧＵＩをＬＣＤ１６０に表示する（Ｓ２３）。
【００２７】
以下の操作において、ＧＵＩに表示された項目の選択と決定は、使用者がテレビのリモコンに設けられた選局用のアップダウンボタンと決定ボタンを用いて行う。項目選択手段１３２は、リモコンから送信された制御信号Ｓｔを解読し、アップダウンボタンが押下された場合は、選択された項目を上か下にシフトすると共に、その項目の色を変える。項目選択手段１３２は、決定ボタンが押下された場合は、画面を変更したり、あらかじめ指示された動作を行う。なお、項目の選択と決定に、必ずしもアップボタンと決定ボタンを使う必要はなく、他のボタンに同様の機能を割り付けてもよい。
【００２８】
図４の画面に登録したい機器名を入力するとき、使用者が、画面上の項目「登録したい機器」を選択した後、リモコンの決定ボタンを押下すると、図５のＧＵＩがＬＣＤ１６０に表示される。使用者は、予め準備された「機器一覧表」の項目から制御対象である機器を選択する（Ｓ２４）。
【００２９】
次に、使用者は制御内容の選択を行う。例えば、エアコンについて風量を上げる制御を登録したい場合、使用者が図５の画面に表示された「機器一覧表」から「エアコン」を選択すると、図６に示すようにウインドウにエアコンの制御内容に関する「登録内容一覧」が表示される。使用者が「登録内容一覧」から「風量ＵＰ」を選択した後、リモコンの決定ボタンを押下すると（Ｓ２５）、図７に示すＧＵＩがＬＣＤ１６０に表示される（Ｓ２６）。使用者は、図７の画面に表示された内容で問題なければ「はい」を選択し、リモコンの決定ボタンを押下する（Ｓ２６）。決定ボタンが押下されると、信号名登録手段１３３は、図７の画面に表示された機器および制御内容の名称を、制御信号Ｓｏの関連情報Ｉｒとして記憶手段１２０に転送する。関連情報Ｉｒは制御信号Ｓｏと共に記憶手段１２０に登録される。このようにして、制御信号Ｓｏに対応した関連情報Ｉｒの登録が終了する。
【００３０】
以上の処理を繰り返すことにより、対象となる機器の全てについて制御信号Ｓｏと関連情報Ｉｒの登録を完了する。なお本実施の形態では、図５および図６のＧＵＩを用いて被制御機器名の入力および制御内容の入力を行ったが、図８に示すＧＵＩを用いて使用者が１文字ずつ入力するようにしてもよい。
【００３１】
次に、使用者がテレビのリモコンを用いて機器を制御する際の動作について説明する。機器を制御するためには、前述した制御信号記憶モードで登録した内容を選択する手段が必要である。そのためにテレビのリモコンに、登録した内容を選択する被制御機器制御モードに入るための専用ボタンを用意しておく。なお被制御機器制御モードに入るには、専用ボタンを用いることなく、リモコンのメニューボタンを用いてＧＵＩを呼び出し、メニューの中から選択するようにしてもよい。
【００３２】
図９は、テレビのリモコンを用いて機器を制御する際の動作を示すフローチャートである。被制御機器制御モードに入ったとき、信号選択手段１３４は、画像作成手段１３１が作成したＧＵＩのうち図１０に示す画面をＬＣＤ１６０に表示する（Ｓ９１）。使用者は画面に表示された「登録機器一覧表」の中から所望の機器を選択する（Ｓ９２）。例えばエアコンの風量を上げたい場合、使用者が「エアコン」を選択すれば、図１１に示すようにウインドウに、制御信号記憶モードにおいて登録した「制御内容一覧」が表示される。使用者がこの中から「風量ＵＰ」を選択し、リモコンの決定ボタンを押下すると（Ｓ９３）、信号選択手段１３４は、関連情報Ｉｒを参照して、選択された機器および制御内容に対応する制御信号Ｓｏを記憶手段１２０から読み出す。
【００３３】
記憶手段１２０から読み出された制御信号Ｓｏは赤外線発光手段１４０で赤外線信号に変換され、機器に向けて発信される（Ｓ９４）。図示しない機器は赤外線信号に含まれる制御信号Ｓｏを再生し、その内容を解読して風量を上げる処理を行う。
【００３４】
以上説明したように本実施の形態のリモコン装置によれば、機器の所望の制御信号Ｓｏを記憶手段１２０に簡単に登録できる。また、テレビ１００Ａのリモコンと階層的なＧＵＩを用いて、制御を行いたい機器の制御内容を簡単に選択できる。更に、テレビ用リモコンの特定のボタン（アップダウンボタンと決定ボタン）だけを用いて操作を繰り返すことにより、使用者は全ての機器の制御を行うことができる。しかもリモコンの操作にあたって特別な知識を必要としないため、使用者にとって非常に便利なシステムである。
【００３５】
なお、本実施の形態において、画像作成手段１３１はＧＵＩ作成機能を備えたものとして説明したが、これに限定されるものではなく、ＧＵＩと同様の機能を備えた画像を作成するものであってもよい。
【００３６】
また、本実施の形態においては、赤外線発光手段１４０が１個設けられた例について説明したが、被制御機器が複数あり、かつこれらの機器が室内の異なる場所に設置されている場合は、被制御機器に応じた数の赤外線発光手段を設ける必要がある。その際、赤外線発光手段１４０に移動や回転が可能な機構を設ければ、機器に設けられた赤外線受光手段に向けて赤外線発光手段１４０の方向や位置を調整できるため、赤外線信号の送信を最適の状態で行うことができる。一方、赤外線受光手段１１０は、原則として１個あればよい。赤外線受光手段１１０についても、回転や移動が可能な機構を設けることによって赤外線信号の受信を最適な状態に設定できる。
【００３７】
（実施の形態２）
図１２に本発明の実施の形態２におけるテレビの構成を示す。本実施の形態では、テレビの動作と連動して他の機器を制御するため、実施の形態１のＣＰＵ１３０Ｂに、連動制御登録手段１３５と連動制御実行手段１３６が追加されている。なお、以下の説明では、所望の機器について記憶手段１２０に制御信号Ｓｏと関連情報Ｉｒが登録済みであるとする。
【００３８】
連動制御登録手段１３５は、使用者がテレビ１００Ｂに対し、リモコンを用いて所望の制御を要求した時、同時に他の機器も制御できるように、テレビの制御内容と他の機器の制御内容との関連付けを行い、その結果を記憶手段１２０に登録する。一方、連動制御実行手段１３６は、使用者がリモコンでテレビを制御したときに、連動制御登録手段１３５で関連付けた内容に従って他の機器を制御するため、赤外線発光手段１４０に制御信号Ｓｏを送出する。
【００３９】
以下、テレビの制御内容と他の機器の制御内容を関連付ける処理、およびその結果を登録する処理について説明する。使用者がテレビの制御と連動して他の機器の制御を行いたい場合、テレビの任意の制御と、他の機器の任意の制御とを関連付ける情報を記憶手段１２０に登録する必要がある。そのためにテレビのリモコンに、関連付けの内容を登録する連動制御登録モードに入るための専用ボタンを用意しておく。なお連動制御登録モードに入るには、専用ボタンを用いることなく、リモコンのメニューボタンを用いてＧＵＩを呼び出し、メニューの中から選択するようにしてもよい。
【００４０】
図１３は、テレビと他の機器を連動制御する時に必要となる関連情報を登録する際の動作を示すフローチャートである。前記連動制御登録モードに入った時（Ｓ１３１）、使用者はまず連動制御を希望するリモコンのボタンを押下して、対応する制御信号Ｓｔを含む赤外線信号をテレビ１００Ｂに発信する（Ｓ１３２）。赤外線受光手段１１０で制御信号Ｓｔが再生され、実行手段１７０はこの制御信号Ｓｔに基づいて所定の処理を行う。併せて制御信号ＳｔはＣＰＵ１３０Ｂに転送される。
【００４１】
連動制御登録手段１３５は、画像作成手段１３１で作成された図１４に示すＧＵＩをＬＣＤ１６０に表示する（Ｓ１３３）。例えば、ＶＣＲに録画された映像を視聴しているときに、オン・エア放送が見たくなった場合、使用者はリモコンを操作して入力切換を行う。このとき、前記入力切換の操作によって、テレビの入力切換を実行すると同時に、視聴しなくなったＶＣＲを停止する場合を考える。
【００４２】
使用者は、図１４の画面に表示された項目の中から「入力切換」を選択する。連動制御登録手段１３５は、前述の図１０に示す「登録機器一覧表」が表示された画面をＬＣＤ１６０に表示する。使用者は一覧表の中から「ＶＣＲ」を選択する（Ｓ１３４）。使用者がＶＣＲを選択すると、図１５に示すようにウインドウが開いて「制御内容一覧」が表示される。使用者は「制御内容一覧」に表示された項目から「電源オフ」を選択し、リモコンの決定ボタンを押下する（Ｓ１３５）。
【００４３】
連動制御登録手段１３５は、図１６に示すＧＵＩをＬＣＤ１６０に表示する（Ｓ１３６）。使用者は、登録内容に問題がなければ「はい」を選択してリモコンの決定ボタンを押下する。連動制御登録手段１３５は、使用者によって選択された内容、すなわちテレビの制御内容の名称、対応する制御信号Ｓｔ、被制御機器の名称および制御内容の名称を、連動制御関連情報Ｉｔとして記憶手段１２０に登録する。以上で連動制御登録モードにおける処理は終了する。
【００４４】
使用者がテレビの動作に連動して他の機器を制御させたい場合、そのための手段が必要である。図１７は前記連動制御登録モードで登録された連動制御を実行する際の動作を示すフローチャートである。
【００４５】
赤外線受光手段１１０は、テレビのリモコンから発信された赤外線信号を受信し（ステップＳ１７１）、その赤外線信号に含まれる制御信号Ｓｔを再生する。再生された制御信号Ｓｔは実行手段１７０によって処理される（Ｓ１７２）。
【００４６】
実行手段１７０による処理と同時に、連動制御実行手段１３６は、記憶手段１２０に登録された連動制御特定情報Ｉｔを参照して、再生された制御信号Ｓｔが連動制御の対象に含まれているか否かを判断する（Ｓ１７３）。
【００４７】
制御信号Ｓｔが連動制御に関連しない制御信号であった場合（Ｓ１７３のＮＯ）は、連動制御実行手段１３６は、何も実行せずに処理を終了する。制御信号Ｓｔが連動制御と関連する制御信号であった場合（Ｓ１７３のＹＥＳ）、連動制御実行手段１３６は、ＶＣＲを停止するための制御信号Ｓｏを記憶手段１２０から読み出して赤外線発光手段１４０に転送する（Ｓ１７４）。赤外線発光手段１４０は、転送された制御信号Ｓｏを赤外線信号に変換し、ＶＣＲに向けて発信する。ＶＣＲは赤外線信号を受信した後、その中に含まれる制御信号Ｓｏを再生し、制御信号Ｓｏの内容を解読してＶＣＲの停止を実行する（Ｓ１７５）。これで連動制御を終了する。
【００４８】
（実施の形態３）
本実施の形態は、実施の形態２で説明した連動動作の変形例であり、テレビで同じ制御内容を数回実施したときに他の機器を制御するものである。テレビの構成は、基本的に図１２に示した実施の形態２の構成と同じであり、連動制御登録手段１３５と連動制御実行手段１３６の機能が若干異なっている。以下、実施の形態２と異なる部分を中心に説明する。
【００４９】
例えば、テレビで映画を視聴するときに映画館のような環境を構築したい場合、ＬＣＤ１６０の輝度を下げる操作と照明を暗くする操作を同時に行うことが考えられる。使用者は、実施の形態２で説明した連動制御登録モードに入るための専用ボタンを押下し、連動制御登録モードに入る。使用者は、前述した図１４のＧＵＩから「輝度−」を選択する。連動制御登録手段１３５は図１９に示すＧＵＩをＬＣＤ１６０に表示する。ＬＣＤ１６０の輝度を下げる場合、１回の制御だけでは輝度変化が小さく、使用者が満足できない場合が多い。そこで、ＬＣＤ１６０の輝度を下げる制御を数回実施したときに、照明を暗くする。本実施の形態は、このようにテレビで同じ制御内容を数回実施したときに、他の機器を制御できるようにする。
【００５０】
図１８は、テレビで複数回同じ制御を実施した時に他の機器を制御するように、関連付けて動作させる際のフローチャートである。なお、連動制御登録モードに入るステップＳ１８１と、テレビの制御項目一覧から所望の制御内容を選択するステップＳ１８２の内容は、図１３で既に同様の処理について説明しているため、ここでは詳しい説明は省略する。
【００５１】
例えば、ＬＣＤ１６０の輝度を５回下げる制御をしたときに、照明を暗くする制御を１度実施する場合を考える（Ｓ１８３）。この場合、図１９に示すＧＵＩにおいて、「制御回数を設定」欄の「する」を選択し、「制御回数」欄に「５」を入力する（Ｓ１８４）。次に、使用者が画面の「被制御機器」の欄を選択すると、前述した図１０の画面がＬＣＤ１６０に表示される。使用者が、「登録機器一覧表」の中から「照明」を選択すると（Ｓ１８５）、図２０に示すようにウインドウに「制御内容一覧」が表示される。
【００５２】
使用者は「制御内容一覧」から「輝度−」を選択し、リモコンの決定ボタンを押下する（Ｓ１８６）。連動制御登録手段１３５は、図２１に示すＧＵＩをＬＣＤ１６０に表示する（Ｓ１８７）。使用者は登録内容に問題がなければ「はい」を選択した後、決定ボタンを押下する。連動制御登録手段１３５は、実施の形態２で説明した連動制御関連情報Ｉｔに、更に操作回数を加えて記憶手段１２０に登録し、処理を終了する。
【００５３】
次に、以上のようにして記憶手段１２０に登録された内容を実行するときの動作について、図２２のフローチャートを参照して説明する。使用者が、テレビのリモコンを用いてＬＣＤ１６０の輝度を下げる制御を実行した時、赤外線受光手段１１０はリモコンから発信された赤外線信号を受信すると共に、赤外線信号に含まれる制御信号Ｓｔを再生する（ステップＳ２２１）。
【００５４】
実行手段１７０は、再生された制御信号Ｓｔを解読してＬＣＤ１６０の輝度を下げる（Ｓ２２２）。それと同時に、連動制御実行手段１３６は、連動制御関連情報Ｉｔを参照して、再生された制御信号Ｓｔが、連動制御登録手段１３５で登録された連動制御対象に含まれているか否かを判断する（Ｓ２２３）。制御信号Ｓｔが連動制御登録手段１３５で登録されていない制御信号であった場合は（Ｓ２２３でＮＯ）、連動制御実行手段１３６は何も実行せずに処理を終了する。
【００５５】
制御信号Ｓｔが連動制御登録手段１３５で登録された制御信号であった場合は（Ｓ２２３でＹＥＳ）、連動制御実行手段１３６は、制御回数が指定されているかどうかを判断する（Ｓ２２４）。制御回数が指定されていない場合、連動制御実行手段１３６は、連動制御で登録されている操作を実行し、処理を終了する（Ｓ２２７）。制御回数が指定されている場合、連動制御実行手段１３６は、現在の制御回数と比較し（Ｓ２２５）、条件を満たしていれば、連動制御で登録されている操作を実行して処理を終了する（Ｓ２２７）。
【００５６】
連動制御実行手段１３６は、条件を満たしていなければ制御回数を１プラスし（Ｓ２２６）、それを記憶手段１２０に記憶して待機する。ＬＣＤ１６０の輝度を下げる制御を５回繰り返すことで、照明を暗くすることが可能となる。
【産業上の利用可能性】
【００５７】
本発明は、テレビのリモコンを用いて被制御機器の制御を簡単な操作で行えるようにしたものであり、リモコンを用いて制御を行う各種の機器に適用できるものである。
【図面の簡単な説明】
【００５８】
【図１】本発明の実施の形態１におけるテレビの構成図
【図２】制御信号記憶モードにおいて、機器の制御信号をテレビの記憶手段に登録する際の動作を示すフローチャート
【図３】制御信号記憶モードのメッセージ画面を示す図
【図４】制御信号記憶モードにおける登録画面を示す図
【図５】制御信号記憶モードにおける被制御機器の選択画面を示す図
【図６】制御信号記憶モードにおける制御内容の選択画面を示す図
【図７】制御信号記憶モードにおける登録内容の確認画面を示す図
【図８】制御信号記憶モードにおけるかな入力画面を示す図
【図９】テレビのリモコンを用いて機器を制御する際の動作を示すフローチャート
【図１０】被制御機器の一覧表が表示された画面を示す図
【図１１】被制御機器の制御内容の選択画面を示す図
【図１２】本発明の実施の形態２におけるテレビの構成図
【図１３】テレビと他の機器を連動制御するときに必要となる関連情報を登録する際の動作を示すフローチャート
【図１４】テレビの制御項目の一覧を示す図
【図１５】連動制御登録モードにおける被制御機器の制御内容の選択画面を示す図
【図１６】連動制御登録モードにおける登録内容の確認画面を示す図
【図１７】連動制御を実行する際の動作を示すフローチャート
【図１８】テレビと他の機器を関連付けて動作させる際のフローチャート
【図１９】連動制御の登録画面を示す図
【図２０】連動制御登録モードにおける被制御機器の制御内容の選択画面を示す図
【図２１】連動制御登録モードにおける登録内容の確認画面を示す図
【図２２】連動制御を実行する際の動作を示すフローチャート
【符号の説明】
【００５９】
１００Ａ、１００Ｂ    テレビ
１１０    赤外線受光手段
１２０    記憶手段
１３０Ａ、１３０Ｂ    ＣＰＵ
１３１    画像作成手段
１３２    項目選択手段
１３３    信号名登録手段
１３４    信号選択手段
１３５    連動制御登録手段
１３６    連動制御実行手段
１４０    赤外線発光手段
１５０    ＬＣＤ駆動回路
１６０    ＬＣＤ
１７０    実行手段
１８０    内部バス
【図１】
2008079144.tif 000003
【図２】
2008079144.tif 000004
【図３】
2008079144.tif 000005
【図４】
2008079144.tif 000006
【図５】
2008079144.tif 000007
【図６】
2008079144.tif 000008
【図７】
2008079144.tif 000009
【図８】
2008079144.tif 000010
【図９】
2008079144.tif 000011
【図１０】
2008079144.tif 000012
【図１１】
2008079144.tif 000013
【図１２】
2008079144.tif 000014
【図１３】
2008079144.tif 000015
【図１４】
2008079144.tif 000016
【図１５】
2008079144.tif 000017
【図１６】
2008079144.tif 000018
【図１７】
2008079144.tif 000019
【図１８】
2008079144.tif 000020
【図１９】
2008079144.tif 000021
【図２０】
2008079144.tif 000022
【図２１】
2008079144.tif 000023
【図２２】
2008079144.tif 000024